(57)【要約】【課題】有効基板面積を保ちながらコンデンサ組立時に治具を用いた作業が不要となるコンデンサ内蔵電子機器を提供する。【解決手段】本発明に係るコンデンサ内蔵電子機器は、底面に圧力開放弁20が露出したコンデンサ２を基板６上に立設してなり、該基板６上には、１或いは複数の部品を保持する保持部材４が設置され、該保持部材４の表面には、コンデンサ設置面41が設けられると共に、該コンデンサ設置面41に、コンデンサ２の圧力開放弁20から排出される流体を逃がすための逃がし孔42が開設されている。【選択図】図２
2011013244.tif 000002
【特許請求の範囲】
【請求項１】
底面に圧力開放弁が露出したコンデンサを基板上に立設してなる電子機器において、前記基板上には、１或いは複数の部品を保持する保持部材が設置され、該保持部材の表面には、コンデンサが立設されるべきコンデンサ設置面が設けられると共に、該コンデンサ設置面には、コンデンサの圧力開放弁から排出される流体を逃がすための逃がし形状が設けられていることを特徴とするコンデンサ内蔵電子機器。
【請求項２】
前記保持部材のコンデンサ設置面には、保持部材を貫通する逃がし孔が開設され、該逃がし孔によって前記逃がし形状が付与されている請求項１に記載のコンデンサ内蔵電子機器。
【請求項３】
コンデンサの底面に突設された一対のリードは、保持部材の逃がし孔を通過して基板の貫通孔を貫通している請求項１又は請求項２に記載のコンデンサ内蔵電子機器。
【請求項４】
前記基板上には、前記コンデンサと共にストロボ発光回路を構成すべき１或いは複数の電子部品が搭載されている請求項１乃至請求項３の何れかに記載のコンデンサ内蔵電子機器。
【請求項５】
前記保持部材には、コンデンサ充電用の電力が印加されるべき複数の電極が取り付けられている請求項１乃至請求項４の何れかに記載のコンデンサ内蔵電子機器。
【発明の詳細な説明】
【技術分野】
【０００１】
本発明は、カメラ等、コンデンサを内蔵した電子機器に関するものである。
【背景技術】
【０００２】
カメラにおいては、図４に示す如くハウジング(10)の内部に、複数の電子部品(８)を搭載した基板(６)が設置され、該基板(６)上にはストロボ用のコンデンサ(２)が立設されている(特許文献１、２参照)。
コンデンサ(２)には、円筒状本体の底面に、一対のリード(21)(21)が突設され、該リード(21)(21)は基板(６)を貫通して、基板(６)に接続されている。
【０００３】
上記の如きコンデンサ(２)には、図６に示す様に、円筒状本体の底面に露出する１或いは複数の圧力開放弁(20)が取り付けられている。
一方、図４の如く基板(６)には、コンデンサ(２)の圧力開放弁が動作したときに排出される圧力流体を逃がすための逃がし孔(61)(61)が開設されている。
【先行技術文献】
【特許文献】
【０００４】
【特許文献１】特開２００４−５３６３４号公報
【特許文献２】特開２００２−３４１４１９号公報
【発明の概要】
【発明が解決しようとする課題】
【０００５】
しかしながら、図４に示す如くコンデンサ(２)を内蔵した従来の電子機器においては、基板(６)に逃がし孔(61)(61)を開設する必要があるために、有効基板面積が小さくなる問題があった。
【０００６】
そこで、図５に示す如く、基板(６)の表面から一定の距離(１〜２ｍｍ)だけ離してコンデンサ(２)を立設し、コンデンサ(２)の底面と基板(６)の表面との間に隙間を設けることによって、圧力開放弁(20)から排出される圧力流体を前記隙間から逃がす構造が採用されている。
【０００７】
ところが、図５に示す電子機器の組立工程では、基板(６)の表面から一定の距離だけ離してコンデンサ(２)を立設するために、組立用の治具を用いた作業が必要となり、これによって工数の増大を招く問題がある。
【０００８】
そこで本発明の目的は、有効基板面積を保ちながらコンデンサ組立時に治具を用いた作業が不要となる電子機器を提供することである。
【課題を解決するための手段】
【０００９】
本発明に係る電子機器は、底面に圧力開放弁(20)が露出したコンデンサ(２)を基板(３)上に立設してなり、該基板(３)上には、１或いは複数の部品を保持する保持部材(４)が設置され、該保持部材(４)の表面には、コンデンサ設置面(41)が設けられると共に、該コンデンサ設置面(41)に、コンデンサ(２)の圧力開放弁(20)から排出される流体を逃がすための逃がし形状が設けられている。
【００１０】
本発明に係るコンデンサ内蔵電子機器によれば、基板(３)上にコンデンサ(２)を立設する作業において、基板(３)上に保持部材(４)を取り付けた後、該保持部材(４)のコンデンサ設置面(41)にコンデンサ(２)を直接に取り付ければよいので、基板(３)表面との間に所定の隙間を設けるための治具は不要である。
【００１１】
コンデンサ(２)を保持部材(４)のコンデンサ設置面(41)に取り付けた状態で、コンデンサ設置面(41)はコンデンサ(２)の底面によって覆われているが、該コンデンサ設置面(41)には、コンデンサ(２)の圧力開放弁(20)から排出される流体を逃がすための逃がし形状が設けられているので、基板(３)には、コンデンサ(２)の圧力開放弁(20)から排出される流体の逃がし孔を開設する必要がない。従って、基板(３)の有効基板面積が減少することはない。
【００１２】
具体的構成において、前記保持部材(４)のコンデンサ設置面(41)には、保持部材(４)を貫通する逃がし孔(42)が開設され、該逃がし孔(42)によって前記逃がし形状が付与されている。
【００１３】
コンデンサ(２)の底面に突設された一対のリード(21)(21)は、保持部材(４)の逃がし孔(42)を通過して基板(３)の貫通孔(31)(31)を貫通している。
【００１４】
又、前記基板(３)上には、前記コンデンサ(２)と共にストロボ発光回路を構成すべき１或いは複数の電子部品(７)が搭載されている。
【００１５】
更に又、前記保持部材(４)には、コンデンサ充電用の電力が印加されるべき複数の電極(５)が取り付けられている。
【発明の効果】
【００１６】
本発明に係るコンデンサ内蔵電子機器によれば、有効基板面積を保ちながらコンデンサ組立時に治具を用いた作業が不要となる。
【図面の簡単な説明】
【００１７】
【図１】本発明に係る電子機器において基板上にコンデンサが立設されている状態を示す斜視図である。
【図２】同上状態を示す断面図である。
【図３】基板から保持部材及びコンデンサを分解した状態を示す斜視図である。
【図４】従来のコンデンサ内蔵電子機器におけるコンデンサの立設状態を示す斜視図である。
【図５】従来の他のコンデンサ内蔵電子機器におけるコンデンサの立設状態を示す斜視図である。
【図６】コンデンサの斜視図である。
【発明を実施するための形態】
【００１８】
以下、本発明をカメラに実施した形態につき、図面に沿って具体的に説明する。
本発明の一実施形態であるカメラは、図１に示す如く、携帯可能なハウジング(１)を具え、該ハウジング(１)の内部に設置された基板(３)の表面に、合成樹脂製の保持部材(４)を介して、ストロボ用のコンデンサ(２)が立設されている。
コンデンサ(２)の底面には、図６に示す如く一対のリード(21)(21)が突設されると共に、１つの圧力開放弁(20)が設けられている。
【００１９】
図３に示す様に、基板(３)の表面には、コンデンサ(２)と共にストロボ発光回路を構成すべき複数の電子部品(７)が搭載されると共に、図２に示す様に、基板(３)の裏面には、シャッター釦などを構成すべき複数のスイッチ部品(71)が搭載されている。
【００２０】
図３に示す様に、保持部材(４)には、電池(図示省略)から電力を取り出すための複数の電極(５)が取り付けられており、該電極(５)に印加された電力がコンデンサ(２)に供給される。
又、保持部材(４)には、コンデンサ(２)を直接に取り付けるためのコンデンサ設置面(41)が設けられ、該コンデンサ設置面(41)に、コンデンサ(２)の２本のリード(21)(21)を通過させると共に、コンデンサ(２)の圧力開放弁が作動したときの圧力流体を逃がすための逃がし孔(42)が開設されている。
【００２１】
尚、保持部材(４)の逃がし孔(42)は十字形状を呈しており、これによって、単一の圧力開放弁が配備されているコンデンサ(２)を１８０度回転させた姿勢でも取り付けることを可能としている。又、これによって、コンデンサ(２)に２つの圧力開放弁が対称に配備されている場合にも該２つの圧力開放弁からの圧力流体を逃がすことを可能としている。
【００２２】
コンデンサ(２)の組立時には、図３の如く複数本のビス(９)を用いて基板(３)上に保持部材(４)を締結した後、該保持部材(４)のコンデンサ設置面(41)にコンデンサ(２)を直接に取り付ける。
【００２３】
この際、コンデンサ(２)のリード(21)(21)は、先ず保持部材(４)の逃がし孔(42)を通過させ、更に基板(３)の貫通孔(31)(31)を貫通させた状態で、該リード(21)(21)の先端部を基板(３)に半田付けする。
上記の如く基板(３)上にコンデンサ(２)を立設する作業において、基板(３)表面とコンデンサ(２)底面との間に所定の隙間を確保するための治具は不要である。
【００２４】
上記カメラにおいては、図２に示す如く、基板(３)上にコンデンサ(２)が立設された状態で、保持部材(４)のコンデンサ設置面(41)はコンデンサ(２)の底面によって覆われているが、該コンデンサ設置面(41)には、逃がし孔(42)が開設されているので、基板(３)には逃がし孔を開設する必要がない。
従って、基板(３)の少なくとも裏面における有効基板面積が減少することはない。
【００２５】
コンデンサ(２)の圧力開放弁(20)が作動したとき、圧力開放弁(20)から排出される圧力流体は、保持部材(４)の逃がし孔(42)を通過して外部に逃がされることになる。
【００２６】
上述の如く、上記カメラによれば、基板(３)の有効基板面積を保ちながらコンデンサ(２)の組立時に治具を用いた作業が不要となる。
【００２７】
尚、本発明の各部構成は上記実施の形態に限らず、特許請求の範囲に記載の技術的範囲内で種々の変形が可能である。
例えばコンデンサ(２)の圧力開放弁(20)からの圧力流体を逃がすための逃がし形状は、基板(３)の裏面側の空間へ開放された貫通孔に限らず、奥が行き止まりの袋状であってもよい。
【００２８】
又、コンデンサ(２)は１つの圧力開放弁(20)を有するものに限らず、複数の圧力開放弁(20)を有するものであってもよく、この場合、保持部材(４)には、複数の圧力開放弁(20)に対向させて１つの大きな逃がし孔(42)を開設し、或いは各圧力開放弁(20)に対向させて複数の逃がし孔(42)を開設することが出来る。
【符号の説明】
【００２９】
(１)  ハウジング
(２)  コンデンサ
(20)  圧力開放弁
(21)  リード
(３)  基板
(31)  貫通孔
(４)  保持部材
(41)  コンデンサ設置面
(42)  逃がし孔
(５)  電極
(７)  電子部品
(71)  スイッチ部品
【図１】
2011013244.tif 000003
【図２】
2011013244.tif 000004
【図３】
2011013244.tif 000005
【図４】
2011013244.tif 000006
【図５】
2011013244.tif 000007
【図６】
2011013244.tif 000008